【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
食事のカロリーエネルギー摂取量を推定する装置であって：
体温の測定値を提供するように構成された体温センサー；
周辺温度の測定値を提供するように構成された周辺温度センサー；
身体活動を提供するように構成された身体活動センサー；及び
当該周辺温度の測定値及び当該身体活動の測定値に応じて当該体温の測定値を正規化することにより正規化した体温の測定値を提供するように構成されたプロセッサー、当該プロセッサーが、当該正規化した体温の測定値に応じてカロリーエネルギー摂取量を算出するように構成されている；
を備える、当該装置。
【請求項２】
前記プロセッサーが、食事に関連する期間に渡り体温の測定値を取得するように構成されている、請求項１に記載の装置。
【請求項３】
前記プロセッサーが、前記食事の全熱応答、前記食事の熱産生最大値、及び前記食事の時間対熱最大値に応じて、カロリーエネルギーの摂取量を算出するように構成される、請求項２に記載の装置。
【請求項４】
前記体温センサー、周辺温度センサー、身体活動センサー及びプロセッサーが、個人に装着可能な個人デバイス中に組み込まれている、請求項１に記載の装置。
【請求項５】
前記体温センサーが、異なる位置に配置された複数のセンサーを含む、請求項１に記載の装置。
【請求項６】
１つ以上の前記体温センサーが前記プロセッサーから離れており、当該離れた体温センサーが、当該プロセッサーに前記体温の測定値を無線で発信するための無線通信システムを有する、請求項５に記載の装置。
【請求項７】
前記身体活動センサーが三軸加速度計を含む、請求項１に記載の装置。
【請求項８】
前記プロセッサーが、使用者の主要栄養素に対する応答を表す所定の較正データを含み、当該プロセッサーが、前記正規化した体温の測定値と当該較正データに応じてカロリーエネルギー摂取量を算出するように構成されている、請求項１に記載の装置。
【請求項９】
前記プロセッサーがデバイス中に配置され；そして
前記体温センサーが、当該デバイスから隔離した遠隔センサー中に配置され、当該遠隔センサーが、使用者の耳内に適合するように構成されている、請求項１に記載の装置。
【請求項１０】
前記遠隔センサーが、前記体温の測定値を前記デバイスに発信するための無線通信回路を含む、請求項９に記載の装置。
【請求項１１】
前記遠隔センサーが、前記体温の測定値を保存するためのデータストレージを含む、請求項１０に記載の装置。
【請求項１２】
個人が消費する食物のカロリーエネルギー摂取量を判定するシステムであって：個人のコア体温を反映する生の体温の測定値を取得するように構成されている体温センサー；
第一の正規化要素センサー、当該第一の正規化要素センサーは、個人のコア体温に影響し得る食物の熱効果以外の第一の要素を反映する第一の正規化要素の測定値を取得するように構成されている；
当該第一の正規化要素の測定値に応じて当該生の体温の測定値を正規化することにより正規化した温度の測定値を提供するように構成されているプロセッサー、当該プロセッサーは、当該正規化した体温の測定値に応じてカロリーエネルギー摂取量を算出するように構成されている；
を備える、当該装置。
【請求項１３】
前記第一の正規化要素センサーが、１つ以上の周辺温度センサーと１つの身体活動センサーを含む、請求項１２に記載のシステム。
【請求項１４】
更に第二の正規化要素センサーを含み、当該第二の正規化センサーが、前記第一の要素と異なり、個人のコア体温に影響し得る食物の熱効果以外の、第二の要素を反映する第二の正規化要素の測定値を取得するように構成されている、請求項１２に記載のシステム。
【請求項１５】
前記第一の正規化要素センサーが周辺温度センサーであり、前記第二の正規化要素センサーが身体活動センサーである、請求項１４に記載のシステム。
【請求項１６】
前記体温センサーが、食事に関連する期間に渡り体温の測定値を取得するように構成されている、請求項１２に記載のシステム。
【請求項１７】
前記プロセッサーが、前記食事の全熱応答、前記食事の熱産生最大値、及び前記食事の時間対熱最大値に応じて、カロリーエネルギーの摂取量を算出するように構成される、請求項１６に記載のシステム。
【請求項１８】
前記プロセッサーが、使用者の主要栄養素に対する応答を表す所定の較正データを含み、当該プロセッサーが、前記正規化した体温の測定値と当該較正データに応じてカロリーエネルギー摂取量を算出するように構成されている、請求項１２に記載のシステム。
【請求項１９】
前記プロセッサーが使用者が装着可能な個人デバイス中に配置され；そして
前記体温センサーが、当該個人デバイスから隔離した遠隔センサー中に配置され、当該遠隔センサーが、使用者の耳内に適合するように構成されている、請求項１２に記載のシステム。
【請求項２０】
前記遠隔センサーが、前記体温の測定値を前記個人デバイスに発信するための無線通信回路を含む、請求項１９に記載のシステム。
【請求項２１】
前記遠隔センサーが、前記体温の測定値を保存するためのデータストレージを含む、請求項２０に記載のシステム。
【請求項２２】
食事のカロリーエネルギー摂取量を判定する方法であって：
使用者の体温の測定値を測定する工程；
１つ以上の正規化要素に基づき当該体温の測定値を正規化する工程、当該正規化要素は、食物の熱効果以外の体温の測定値に影響する要素である；及び
当該正規化した体温の測定値から食事のカロリーエネルギー摂取量を算出する工程；
を含む、当該方法。
【請求項２３】
前記正規化の工程が、周辺温度を検知し、当該検知した周辺温度に応じて測定された体温の測定値を調整することを含む、請求項２２に記載の方法。
【請求項２４】
前記正規化の工程が、使用者の身体活動を検知し、当該検知した身体活動に応じて測定された体温の測定値を調整することを含む、請求項２２に記載の方法。
【請求項２５】
前記正規化の工程が、時刻を検知し、当該検知した時刻に応じて測定された体温の測定値を調整することを含む、請求項２２に記載の方法。
【請求項２６】
前記正規化の工程が、ＵＶ暴露を検知し、当該検知したＵＶ暴露に応じて測定された体温の測定値を調整することを含む、請求項２２に記載の方法。
【請求項２７】
前記正規化の工程が、使用者の発汗レベルを検知し、当該検知した使用者の発汗レベルに応じて測定された体温の測定値を調整することを含む、請求項２２に記載の方法。
【請求項２８】
前記正規化の工程が：
周辺温度を検知する工程；
検知した周辺温度に応じて測定された体温の測定値を調整する工程；
身体活動を検知する工程；及び
検知した身体活動に応じて測定された体温の測定値を調整する工程；
を含む、請求項２２に記載の方法。
【請求項２９】
前記周辺温度を感知する工程が、使用者の身体上の異なる位置に配置された複数の温度センサーから温度の測定値を収集することを含む、請求項２８に記載の方法。
【請求項３０】
前記身体活動を検知する工程が、加速度計から測定値を収集することを含む、請求項２９に記載の方法。
【請求項３１】
前記身体活動を検知する工程が、三軸加速度計から測定値を収集することを含む、請求項２９に記載の方法。
【請求項３２】
前記カロリーエネルギー摂取量を算出する工程が、２つ以上の異なる主要栄養素の比率を判定することを含む、請求項２２に記載の方法。
【請求項３３】
前記カロリーエネルギー摂取量を算出する工程が、食事中の脂肪、タンパク質及び炭水化物の比率を判定することを含む、請求項２２に記載の方法。
【請求項３４】
前記カロリーエネルギー摂取量を算出する工程が、食事中の脂肪、タンパク質及び炭水化物の比率に応じてカロリー摂取量を算出することを含む、請求項２２に記載の方法。
【請求項３５】
食事における使用者のカロリーエネルギー摂取量を算出する方法であって；
使用者の生の体温の測定値を測定する工程；
使用者の身体活動を測定する工程；
使用者の周囲の環境の周辺温度を測定する工程；
当該使用者の生の体温の測定値を、測定された使用者の身体活動及び測定された周辺温度に基づいて正規化する工程；及び
当該正規化した体温の測定値に応じて食事のカロリーエネルギー摂取量を算出する工程；
を含む、当該方法。
【請求項３６】
前記カロリーエネルギー摂取量を算出する工程が：
温度プロフィールを作成する工程；
当該温度プロフィールから前記食事の全熱応答を判定する工程；
当該温度プロフィールから前記食事の熱産生最大値を判定する工程；
前記温度プロフィールから前記食事の時間対熱最大値を判定する工程；及び
当該全熱応答、熱産生最大値、及び時間対熱最大値に応じてカロリーエネルギー摂取量を判定する工程；
を含む、請求項３５に記載の方法。
【請求項３７】
前記カロリーエネルギー摂取量を算出する工程が：
温度プロフィールを作成する工程；
各脂肪、炭水化物及びタンパク質における温度プロフィールから全熱応答を判定する工程；
各脂肪、炭水化物及びタンパク質における温度プロフィールから熱産生最大値を判定する工程；
各脂肪、炭水化物及びタンパク質における温度プロフィールから時間対熱最大値を判定する工程；及び
当該各脂肪、炭水化物及びタンパク質における全熱応答、熱産生最大値、及び時間対熱最大値に応じてカロリーエネルギー摂取量を判定する工程；
を含む、請求項３５に記載の方法。
【請求項３８】
更に：
各脂肪、炭水化物及びタンパク質における全熱応答に応じて前記食事の全熱応答を判定する工程；
各脂肪、炭水化物及びタンパク質における熱産生最大値に応じて前記食事の熱産生最大値を判定する工程；
各脂肪、炭水化物及びタンパク質における時間対熱最大値に応じて前記食事の時間対熱最大値を判定する工程；及び
当該食事の全熱応答、熱産生最大値、及び時間対熱最大値に応じてカロリーエネルギー摂取量を判定する工程；
を含む、請求項３７に記載の方法。
【請求項３９】
更に：
前記食事の全熱応答、熱産生最大値、及び時間対熱最大値に対する脂肪、炭水化物及びタンパク質の相対的寄与を判定する工程；
を含み、前記食事の全熱応答、熱産生最大値、及び時間対熱最大値に応じてカロリーエネルギー摂取量を判定する工程が、脂肪、炭水化物及びタンパク質の相対的寄与を算定することを含む、請求項３８に記載の方法。
【請求項４０】
更に：
前記食事の全熱応答、熱産生最大値、及び時間対熱最大値に対する脂肪、炭水化物及びタンパク質の相対的寄与を代表する較正データを判定する工程；
を含み  前記カロリーエネルギー摂取量を判定する工程が、当該較正データにより較正された前記食事の全熱応答、熱産生最大値、及び時間対熱最大値に応じてカロリーエネルギー摂取量を判定することを含む、請求項３８に記載の方法。